(57)【特許請求の範囲】
【請求項１】
発光素子と、
前記発光素子から前方に延びる光軸上に配設され、前記発光素子から発した光を前方に投影する投影レンズと、を備え、
前記投影レンズが、前記発光素子から発した光が入射される後ろ側の入射面と、前記入射面に入射した入射光を前方に出射させる前側の出射面と、を有し、
前記出射面が、水平面内において、前記発光素子から発して前記入射面に入射した入射光線群を左右両側に拡散するよう出射させ、
前記出射面が、自車線側の領域の第一屈折面と、対向車線側の領域の第二屈折面と、から構成され、
前記第一屈折面は、鉛直面内において、前記発光素子から発して前記入射面に入射した入射光線群を、前記光軸を通る水平面を上限としてその下方領域を照射するように出射させ、
前記第二屈折面は、鉛直面内において、前記発光素子から発して前記入射面に入射した入射光線群を、前記光軸を通る水平面より下方の所定位置を上限としてその下方領域を照射するように出射させ、
前記第一屈折面は、前記発光素子から発して前記第一屈折面から出射する出射光線群の水平面を基準とした下への偏向角を、前記光軸から上下に離れるにつれて漸次大きくし、
前記第二屈折面は、前記発光素子から発して前記第二屈折面から出射する出射光線群の水平面を基準とした下への偏向角を、前記光軸から上下に離れるにつれて漸次大きくし、
前記投影レンズが前記投影レンズから前方に離れた仮想スクリーンに前記発光素子の反転投影像を投影し、
前記投影レンズのうち前記光軸を通る水平面近傍部分による前記発光素子の反転投影像の投影箇所が前記光軸を通る水平面と前記仮想スクリーンとの交線近傍であり、
前記投影レンズの部分が前記光軸を通る水平面から上下に離れるにつれてその部分による前記発光素子の反転投影像の投影箇所が前記交線から下へ漸次離れ、
前記発光素子から発して前記投影レンズによって投影された光の前記仮想スクリーン上での配光は前記交線から下に離れるにつれて漸次暗くなることを特徴とする車両用灯具。
【請求項２】
発光素子と、
前記発光素子から前方に延びる光軸上に配設され、前記発光素子から発した光を前方に投影する投影レンズと、を備え、
前記投影レンズが、前記発光素子から発した光が入射される後ろ側の入射面と、前記入射面に入射した入射光を前方に出射させる前側の出射面と、を有し、
前記出射面が、自車線側且つ上側の領域の第一屈折面と、自車線側且つ下側の領域の第二屈折面と、対向車線側且つ上側の第三屈折面と、対向車線側且つ下側の第四屈折面と、から構成され、
前記第一屈折面及び前記第三屈折面は、水平面内において、前記発光素子から発して前記入射面に入射した入射光線群を左右両側に拡散するよう出射させ、
前記第二屈折面は、水平面内において、前記発光素子から発して前記入射面に入射した入射光線群を鉛直面より対向車線側に出射させず、その入射光線群を鉛直面より自車線側に出射させ、
前記第四屈折面は、水平面内において、前記発光素子から発して前記入射面に入射した入射光線群を鉛直面より対向車線側に出射させず、その入射光線群を鉛直面より自車線側に出射させ、
前記第一屈折面、前記第二屈折面及び前記第四屈折面は、鉛直面内において、前記発光素子から発して前記入射面に入射した入射光線群を、前記光軸を通る水平面を上限としてその下方領域を照射するように出射させ、
前記第三屈折面は、鉛直面内において、前記発光素子から発して前記入射面に入射した入射光線群を、前記光軸を通る水平面より下方の所定位置を上限としてその下方領域を照射するように出射させ、
前記第一屈折面、前記第二屈折面及び前記第四屈折面は、前記発光素子から発して前記第一屈折面、前記第二屈折面及び前記第四屈折面から出射する出射光線群の水平面を基準とした下への偏向角を、前記光軸から上下に離れるにつれて漸次大きくし、
前記第三屈折面は、前記発光素子から発して前記第三屈折面から出射する出射光線群の水平面を基準とした下への偏向角を、前記光軸から上に離れるにつれて漸次大きくし、
前記投影レンズが前記投影レンズから前方に離れた仮想スクリーンに前記発光素子の反転投影像を投影し、
前記投影レンズの部分が前記光軸を通る水平面から上下に離れるにつれてその部分による前記発光素子の反転投影像の投影箇所が前記光軸を通る水平面と前記仮想スクリーンとの交線から下へ漸次離れ、
前記発光素子から発して前記投影レンズによって投影された光の前記仮想スクリーン上での配光は前記交線から下に離れるにつれて漸次暗くなることを特徴とする車両用灯具。
【請求項３】
前記投影レンズは、前記入射面及び前記出射面の外周であって前記光軸より自車線側に設けられた第一プリズム部と、前記入射面及び前記出射面の外周であって前記光軸より対向車線側に設けられた第二プリズム部と、を有し、
前記第一プリズム部は、前記発光素子から発した直接光が入射される後ろ側の第一プリズム入射面と、前記第一プリズム入射面に入射した入射光を前方に出射させる前側の第一プリズム出射面と、を有し、
前記第二プリズム部は、前記発光素子から発した直接光が入射される後ろ側の第二プリズム入射面と、前記第二プリズム入射面に入射した入射光を前方に出射させる前側の第二プリズム出射面と、を有し、
前記第一プリズム出射面は、水平面内において、前記発光素子から発して前記第一プリズム入射面に入射した入射光線群を鉛直面より対向車線側に出射させず、その入射光線群を鉛直面より自車線側に出射させ、
前記第一プリズム出射面は、鉛直面内において、前記発光素子から発して前記第一プリズム入射面に入射した入射光線群を、前記光軸を通る水平面又はそれよりも下方の所定位置を上限としてその下方領域を照射するように出射させ、
前記第一プリズム出射面は、前記発光素子から発して前記第一プリズム出射面から出射する出射光線群の水平面を基準とした下への偏向角を、前記光軸から上下に離れるにつれて漸次大きくし、
前記第二プリズム出射面は、水平面内において、前記発光素子から発して前記第二プリズム入射面に入射した入射光線群を鉛直面より自車線側に出射させず、その入射光線群を鉛直面より対向車線側に出射させ、
前記第二プリズム出射面は、鉛直面内において、前記発光素子から発して前記第一プリズム入射面に入射した入射光線群を、前記光軸を通る水平面よりも下方の所定位置を上限としてその下方領域を照射するように出射させ、
前記第二プリズム出射面は、前記発光素子から発して前記第二プリズム出射面から出射する出射光線群の水平面を基準とした下への偏向角を、前記光軸から上下に離れるにつれて漸次大きくすることを特徴とする請求項１又は２に記載の車両用灯具。
【発明の詳細な説明】
【技術分野】
【０００１】
本発明は、車両用灯具に関する。
【背景技術】
【０００２】
特許文献１に記載されたダイレクトプロジェクション型灯具では、凸レンズ（１２）が発光素子（１４）の前方に配設され、発光素子（１４）から発した光が凸レンズ（１２）によって直接前方に投影される。この凸レンズ（１２）は、発光素子（１４）から発した光を鉛直面内においては略平行光として出射させるとともに、水平面内においては拡散光として出射させるように構成されている。そのため、前方の仮想スクリーンには、左右方向に延びた配光パターン（ＰＡ）が形成される（特許文献１の図４等参照）。
【先行技術文献】
【特許文献】
【０００３】
【特許文献１】特開２００７−３３５３０１号公報
【発明の概要】
【発明が解決しようとする課題】
【０００４】
しかし、配光パターン（ＰＡ）とその下側の領域との間に大きな明暗差が生じ、ドライバーがその明暗差を道路上の段差と誤認してしまう。
また、特許文献１に記載の技術では、鉛直方向（上下方向）の照射領域が限られるため、配光パターン（ＰＡ）の下側の領域が暗いことから、手前側の視認性が良くない。
そこで、本発明が解決しようとする課題は、明暗差を解消できるようにするとともに、手前側の視認性を向上できるようにすることである。
【課題を解決するための手段】
【０００５】
以上の課題を解決するため、請求項１に係る車両用灯具は、
発光素子と、
前記発光素子から前方に延びる光軸上に配設され、前記発光素子から発した光を前方に投影する投影レンズと、を備え、
前記投影レンズが、前記発光素子から発した光が入射される後ろ側の入射面と、前記入射面に入射した入射光を前方に出射させる前側の出射面と、を有し、
前記出射面が、水平面内において、前記発光素子から発して前記入射面に入射した入射光線群を左右両側に拡散するよう出射させ、
前記出射面が、自車線側の領域の第一屈折面と、対向車線側の領域の第二屈折面と、から構成され、
前記第一屈折面は、鉛直面内において、前記発光素子から発して前記入射面に入射した入射光線群を、前記光軸を通る水平面を上限としてその下方領域を照射するように出射させ、
前記第二屈折面は、鉛直面内において、前記発光素子から発して前記入射面に入射した入射光線群を、前記光軸を通る水平面より下方の所定位置を上限としてその下方領域を照射するように出射させ、
前記第一屈折面は、前記発光素子から発して前記第一屈折面から出射する出射光線群の水平面を基準とした下への偏向角を、前記光軸から上下に離れるにつれて漸次大きくし、
前記第二屈折面は、前記発光素子から発して前記第二屈折面から出射する出射光線群の水平面を基準とした下への偏向角を、前記光軸から上下に離れるにつれて漸次大きくし、
前記投影レンズが前記投影レンズから前方に離れた仮想スクリーンに前記発光素子の反転投影像を投影し、
前記投影レンズのうち前記光軸を通る水平面近傍部分による前記発光素子の反転投影像の投影箇所が前記光軸を通る水平面と前記仮想スクリーンとの交線近傍であり、
前記投影レンズの部分が前記光軸を通る水平面から上下に離れるにつれてその部分による前記発光素子の反転投影像の投影箇所が前記交線から下へ漸次離れ、
前記発光素子から発して前記投影レンズによって投影された光の前記仮想スクリーン上での配光は前記交線から下に離れるにつれて漸次暗くなることとした。
【０００６】
また、請求項２に係る車両用灯具が、
発光素子と、
前記発光素子から前方に延びる光軸上に配設され、前記発光素子から発した光を前方に投影する投影レンズと、を備え、
前記投影レンズが、前記発光素子から発した光が入射される後ろ側の入射面と、前記入射面に入射した入射光を前方に出射させる前側の出射面と、を有し、
前記出射面が、自車線側且つ上側の領域の第一屈折面と、自車線側且つ下側の領域の第二屈折面と、対向車線側且つ上側の第三屈折面と、対向車線側且つ下側の第四屈折面と、から構成され、
前記第一屈折面及び前記第三屈折面は、水平面内において、前記発光素子から発して前記入射面に入射した入射光線群を左右両側に拡散するよう出射させ、
前記第二屈折面は、水平面内において、前記発光素子から発して前記入射面に入射した入射光線群を鉛直面より対向車線側に出射させず、その入射光線群を鉛直面より自車線側に出射させ、
前記第四屈折面は、水平面内において、前記発光素子から発して前記入射面に入射した入射光線群を鉛直面より対向車線側に出射させず、その入射光線群を鉛直面より自車線側に出射させ、
前記第一屈折面、前記第二屈折面及び前記第四屈折面は、鉛直面内において、前記発光素子から発して前記入射面に入射した入射光線群を、前記光軸を通る水平面を上限としてその下方領域を照射するように出射させ、
前記第三屈折面は、鉛直面内において、前記発光素子から発して前記入射面に入射した入射光線群を、前記光軸を通る水平面より下方の所定位置を上限としてその下方領域を照射するように出射させ、
前記第一屈折面、前記第二屈折面及び前記第四屈折面は、前記発光素子から発して前記第一屈折面、前記第二屈折面及び前記第四屈折面から出射する出射光線群の水平面を基準とした下への偏向角を、前記光軸から上下に離れるにつれて漸次大きくし、
前記第三屈折面は、前記発光素子から発して前記第三屈折面から出射する出射光線群の水平面を基準とした下への偏向角を、前記光軸から上に離れるにつれて漸次大きくし、
前記投影レンズが前記投影レンズから前方に離れた仮想スクリーンに前記発光素子の反転投影像を投影し、
前記投影レンズの部分が前記光軸を通る水平面から上下に離れるにつれてその部分による前記発光素子の反転投影像の投影箇所が前記光軸を通る水平面と前記仮想スクリーンとの交線から下へ漸次離れ、
前記発光素子から発して前記投影レンズによって投影された光の前記仮想スクリーン上での配光は前記交線から下に離れるにつれて漸次暗くなることとした。
【０００７】
請求項３に係る発明では、記投影レンズは、前記入射面及び前記出射面の外周であって前記光軸より自車線側に設けられた第一プリズム部と、前記入射面及び前記出射面の外周であって前記光軸より対向車線側に設けられた第二プリズム部と、を有し、
前記第一プリズム部は、前記発光素子から発した直接光が入射される後ろ側の第一プリズム入射面と、前記第一プリズム入射面に入射した入射光を前方に出射させる前側の第一プリズム出射面と、を有し、
前記第二プリズム部は、前記発光素子から発した直接光が入射される後ろ側の第二プリズム入射面と、前記第二プリズム入射面に入射した入射光を前方に出射させる前側の第二プリズム出射面と、を有し、
前記第一プリズム出射面は、水平面内において、前記発光素子から発して前記第一プリズム入射面に入射した入射光線群を鉛直面より対向車線側に出射させず、その入射光線群を鉛直面より自車線側に出射させ、
前記第一プリズム出射面は、鉛直面内において、前記発光素子から発して前記第一プリズム入射面に入射した入射光線群を、前記光軸を通る水平面又はそれよりも下方の所定位置を上限としてその下方領域を照射するように出射させ、
前記第一プリズム出射面は、前記発光素子から発して前記第一プリズム出射面から出射する出射光線群の水平面を基準とした下への偏向角を、前記光軸から上下に離れるにつれて漸次大きくし、
前記第二プリズム出射面は、水平面内において、前記発光素子から発して前記第二プリズム入射面に入射した入射光線群を鉛直面より自車線側に出射させず、その入射光線群を鉛直面より対向車線側に出射させ、
前記第二プリズム出射面は、鉛直面内において、前記発光素子から発して前記第一プリズム入射面に入射した入射光線群を、前記光軸を通る水平面よりも下方の所定位置を上限としてその下方領域を照射するように出射させ、
前記第二プリズム出射面は、前記発光素子から発して前記第二プリズム出射面から出射する出射光線群の水平面を基準とした下への偏向角を、前記光軸から上下に離れるにつれて漸次大きくすることとした。
【発明の効果】
【０００８】
請求項１に係る発明によれば、第一屈折面が、発光素子から発してその第一屈折面から出射する出射光線群の水平面を基準とした下への偏向角を、光軸から上下に離れるにつれて漸次大きくし、第二屈折面が、発光素子から発して第二屈折面から出射する出射光線群の水平面を基準とした下への偏向角を、光軸から上下に離れるにつれて漸次大きくするので、下に延びるような配光パターンを形成することができる。そのため、顕著な明暗差を解消することができるとともに、手前側の視認性を向上することができる。
特に、特許文献１に記載の技術では、すれ違い配光に必要な広い領域に照射することができなかったため、拡散領域を照射する他のランプと組み合わせる必要があった。それに対し、請求項１に係る発明によれば、１つの灯具で広い領域を照射することができるため、他の灯具と組み合わせることなく車両用灯具として所望の性能を満たすことができる。
【０００９】
請求項２に係る発明によれば、第一屈折面、第二屈折面及び第四屈折面が、発光素子から発して第一屈折面、第二屈折面及び第四屈折面から出射する出射光線群の水平面を基準とした下への偏向角を、光軸から上下に離れるにつれて漸次大きくし、第三屈折面が、発光素子から発して第三屈折面から出射する出射光線群の水平面を基準とした下への偏向角を、光軸から下に離れるにつれて漸次大きくするので、下に延びるような配光パターンを形成することができる。そのため、顕著な明暗差を解消することができるとともに、手前側の視認性を向上することができる。
また、自車線側に出射される光束を増やすことができるため、遠方視認性を向上させることができる。
【００１０】
請求項３に係る発明によれば、第一プリズム部及び第二プリズム部によって、投影レンズの厚みが増すことなく、投影レンズの開口度を高めることができ、配光パターンをより明るくすることができるとともに、より広がりのある配光パターンを形成することができる。
【図面の簡単な説明】
【００１１】
【図１】本発明の第一実施形態におけるダイレクトプロジェクション型灯具の正面図である。
【図２】図１に示されたII−IIに沿った面の矢視断面図である。
【図３】図１に示されたIII−IIIに沿った面の矢視断面図である。
【図４】図１に示されたIV−IVに沿った面の矢視断面図である。
【図５】同実施形態における光源の正面図である。
【図６】同実施形態におけるダイレクトプロジェクション型灯具により仮想スクリーンに形成される配光パターンを模式的に示した斜視図である。
【図７】同実施形態におけるダイレクトプロジェクション型灯具により仮想スクリーンに形成される配光パターンを模式的に示した斜視図である。
【図８】本発明の第二実施形態におけるダイレクトプロジェクション型灯具の正面図である。
【図９】図８に示されたIX−IXに沿った面の矢視断面図である。
【図１０】図８に示されたX−Xに沿った面の矢視断面図である。
【図１１】図８に示されたXI−XIに沿った面の矢視断面図である。
【図１２】図８に示されたXII−XIIに沿った面の矢視断面図である。
【図１３】同実施形態におけるダイレクトプロジェクション型灯具により仮想スクリーンに形成される配光パターンの一部を模式的に示した斜視図である。
【図１４】同実施形態におけるダイレクトプロジェクション型灯具により仮想スクリーンに形成される配光パターンの一部を模式的に示した斜視図である。
【図１５】同実施形態におけるダイレクトプロジェクション型灯具により仮想スクリーンに形成される配光パターンの一部を模式的に示した斜視図である。
【図１６】同実施形態におけるダイレクトプロジェクション型灯具により仮想スクリーンに形成される配光パターンの一部を模式的に示した斜視図である。
【図１７】同実施形態におけるダイレクトプロジェクション型灯具により仮想スクリーンに形成される配光パターンを模式的に示した斜視図である。
【図１８】本発明の第三実施形態におけるダイレクトプロジェクション型灯具の斜視図である。
【図１９】同実施形態におけるダイレクトプロジェクション型灯具の正面図である。
【図２０】図１９に示されたXX−XXに沿った面の矢視断面図である。
【図２１】図１９に示されたXXI−XXIに沿った面の矢視断面図である。
【図２２】同実施形態におけるダイレクトプロジェクション型灯具により仮想スクリーンに形成される配光パターンを示した図面である。
【図２３】同実施形態におけるダイレクトプロジェクション型灯具の変形例により仮想スクリーンを示した図面である。
【発明を実施するための形態】
【００１２】
以下に、本発明を実施するための形態に係る車両用灯具の一例としてのダイレクトプロジェクション型灯具について図面を用いて説明する。但し、以下に述べる実施形態には、本発明を実施するために技術的に好ましい種々の限定が付されているが、発明の範囲を以下の実施形態及び図示例に限定するものではない。
また、以下の説明において、「上」、「下」、「前」、「後」、「左」、「右」は、それぞれ、ダイレクトプロジェクション型灯具が装備された車両の「上」、「下」、「前」、「後」、「左」、「右」である。
【００１３】
〔第１の実施の形態〕
図１は、本発明の実施形態に係る車両用灯具の一例としてのダイレクトプロジェクション型灯具１の正面図である。図２は、図１に示されたII−II線に沿った面の矢視断面図である。図３は、図１に示されたIII−III線に沿った面の矢視断面図である。図４は、図１に示されたIV−IV線に沿った面の矢視断面図である。
【００１４】
ダイレクトプロジェクション型灯具１は、左側通行用ロービームに用いられる車両用前照灯である。従って、右側が対向車線側であり、左側が自車線側である。
ダイレクトプロジェクション型灯具１は、支持プレート１０、放熱フィン２０、レンズホルダ３０、発光素子４０及び投影レンズ５０を有する。
【００１５】
支持プレート１０は、ダイレクトプロジェクション型灯具１としての光軸Ａｘと直交する鉛直面に沿って配置されている。支持プレート１０の後面には、複数の放熱フィン２０が凸設されている。
【００１６】
発光素子４０は発光ダイオードであって、基板４１上に実装されている。この発光素子４０は、支持プレート１０の前面側に設けられている。具体的には、基板４１がネジ、接着剤その他の固定部材によって支持プレート１０の前面に接合され、発光素子４０が前向きに設置されている。図５は、発光素子４０の正面図である。正面から見て、この発光素子４０は、短辺４３，４５及び長辺４２，４４を有する長方形に設けられている。発光素子４０の短辺４３，４５又は長辺４２，４４が水平面に対して平行に設けられ、発光素子４０が上下又は左右に長尺に設けられている。ダイレクトプロジェクション型灯具１としての光軸Ａｘは、発光素子４０の所定点（例えば、発光素子４０の中心点、発光素子４０の下辺の中心点）から水平方向前方に延びる。
【００１７】
支持プレート１０の前面であって発光素子４０の周囲には、レンズホルダ３０が取り付けられている。一方、投影レンズ５０の周縁部には脚部５９が設けられ、脚部５９が後方に延出し、脚部５９の突端が支持プレート１０との間にレンズホルダ３０を挟持した状態で支持プレート１０に取り付けられている。なお、支持プレート１０とレンズホルダ３０が一体となった部品であってもよい。
【００１８】
投影レンズ５０は、発光素子４０から前方に延びる光軸Ａｘ上に配設されている。投影レンズ５０は、凸レンズであって、発光素子４０から発した直接光を前方に投影するものである。投影レンズ５０は、発光素子４０から発した直接光が入射される後ろ側の入射面５１と、入射面５１に入射した入射光を前方に出射させる前側の出射面５２と、を有する。後ろ側の入射面５１は左右に湾曲したシリンドリカル状の凹面であり、入射面５１の中心回転軸が上下方向に延在している。出射面５２は、非球面状の凸面である。
【００１９】
図２において、二点鎖線は、発光素子４０の所定点（例えば、発光素子４０の中心点、発光素子４０の下辺の中心点等）から発した光線を示す。図２に示すように、投影レンズ５０の出射面５２は、水平面内において、発光素子４０の所定点から発して入射面５１に入射した入射光線群を左右両側に拡散するよう出射させる。
【００２０】
図１〜図２に示すように、出射面５２は、左側（自車線側）の領域の第一屈折面５３と、残りの右側（対向車線側）の領域の第二屈折面５４と、から構成される。
【００２１】
図３、図４において、二点鎖線は、発光素子４０の所定点から発した光線を示す。図３、図４に示すように、投影レンズ５０の出射面５２は、鉛直面内において、発光素子４０の所定点から発して入射面５１に入射した入射光線群を水平面より上方に出射させず、入射光線群の一部を水平面より下方に出射させ、残りの一部を水平面に沿って出射させる。具体的には、出射面５２のうち左側の屈折面５３は、鉛直面内において、発光素子４０の所定点から発して入射面５１に入射した入射光線群を水平面より上方に出射させず、入射光線群の一部を水平面より下方に出射させ、残りの一部を水平面に沿って出射させる。一方、出射面５２のうち右側の屈折面５４は、鉛直面内において、発光素子４０の所定点から発して入射面５１に入射した入射光線群を水平面より上方に出射させず、その入射光線群を水平面より下方に出射させる。
【００２２】
また、図３、図４に示すように、右側の屈折面５４は、左側の屈折面５３に比べて、発光素子４０から発して入射面５１に入射した入射光をより下方に偏向させるよう出射させる。
【００２３】
また、図３に示すように、発光素子４０の所定点から発して屈折面５３から出射する出射光線群については、水平面を基準とした屈折面５３による下への出射光線の偏向角は、光軸Ａｘから上下に離れるにつれて漸次大きくなる。同様に、図４に示すように、発光素子４０の所定点から発して屈折面５４から出射する出射光線群については、水平面を基準とした屈折面５４による下への出射光線の偏向角は、光軸Ａｘから上下に離れるにつれて漸次大きくなる。
【００２４】
図６、図７は、ダイレクトプロジェクション型灯具１から前方に所定距離離れた仮想スクリーンに、ダイレクトプロジェクション型灯具１によって形成される配光パターンＰを示す図である。図６がレンズ屈折面の水平断面近傍から出射する光線による配光パターンを示し、図７がレンズ屈折面全体から出射する光線による配光パターンを示す。図６、図７において、Ｈ−Ｈ線は、光軸Ａｘを通る水平面と仮想スクリーンとの交線であり、Ｖ−Ｖ線は、光軸Ａｘを通る鉛直面と仮想スクリーンとの交線である。
図６、図７に示すように、ダイレクトプロジェクション型灯具１によって形成される配光パターンＰは、左側通行用のロービームに用いられるすれ違い配光パターンである。配光パターンＰは、その上端部にカットオフラインＣ１，Ｃ２を有する。Ｖ−Ｖ線よりも対向車線側（右側）のカットオフラインＣ２がＨ−Ｈ線の僅かに下において水平に延びるように形成されており、Ｖ−Ｖ線よりも自車線側（左側）のカットオフラインＣ１がＨ−Ｈ線に沿って水平に延びるように形成されている。
【００２５】
図６に示すように、発光素子４０の反転投影像Ｉが投影レンズ５０によって左右方向に配列されるよう仮想スクリーンに投影される。これは、発光素子４０の所定点から発した光線群が、水平面内において、出射面５２によって左右両側に拡散するよう出射するためである。そのため、図６、図７に示すように、配光パターンＰは、Ｖ−Ｖ線から左右に延びるように形成されている。
【００２６】
図７に示すように、発光素子４０の反転投影像Ｉが、Ｈ−Ｈ線の下において、投影レンズ５０によって上下方向に配列されるよう仮想スクリーンに投影される。発光素子４０の反転投影像Ｉの投影箇所は、投影レンズ５０のうち光軸Ａｘを通る水平面近傍部分によってはＨ−Ｈ線近傍であり、光軸Ａｘを通る水平面から上下に離れるにつれてＨ−Ｈ線から下に漸次離れていく。これは、発光素子４０の所定点から発した光線群について、水平面を基準とした屈折面５３，５４による下への出射光線の偏向角が、光軸Ａｘから上下に離れるにつれて漸次大きくなるためである。そのため、図６、図７に示すように、配光パターンＰは、Ｈ−Ｈ線から下に延びるように形成されている。
【００２７】
また、配光パターンＰにおいては、Ｈ−Ｈ線近傍において明るく、Ｈ−Ｈ線から下に離れるにつれて漸次暗くなる。これは、発光素子４０の所定点から発した光線群について、水平面を基準とした屈折面５３，５４による下への出射光線の偏向角が、光軸Ａｘから上下に離れるにつれて漸次大きくなるためである。
【００２８】
カットオフラインＣ１，Ｃ２は、発光素子４０の反転投影像Ｉが投影レンズ５０によって左右方向に配列されるよう仮想スクリーンに投影されることによって、発光素子４０の下辺から形成される。具体的には、カットオフラインＣ１は、屈折面５３によって発光素子４０の下辺近傍から照射される投影像によって形成され、カットオフラインＣ２は、屈折面５４によって発光素子４０の下辺近傍から照射される投影像によって形成される。
ここで、右側の屈折面５４は、左側の屈折面５３に比べて、発光素子４０から発して入射面５１に入射した入射光をより下方に偏向させるよう出射させる。つまり、屈折面５３は、鉛直面内において、発光素子４０から発して入射面５１に入射した入射光線群を、Ｈ−Ｈ線（カットオフラインＣ１）を上限としてその下方領域を照射するように出射させる。一方、屈折面５４は、鉛直面内において、発光素子４０から発して入射面５１に入射した入射光線群を、Ｈ−Ｈ線より下方の所定位置（カットオフラインＣ２）を上限としてその下方領域を照射するように出射させる。それゆえ、カットオフラインＣ１が、カットオフラインＣ２の上に形成される。
【００２９】
以上に説明したように、このダイレクトプロジェクション型灯具１によれば、配光パターンＰを形成することができる。その際、発光素子４０の所定点から発した光線群について、水平面を基準とした屈折面５３，５４による下への出射光線の偏向角が、光軸Ａｘから上下に離れるにつれて漸次大きくなるから、配光パターンＰがＨ−Ｈ線から下に延びるように形成されるとともに、配光パターンＰが下に向かい漸次暗くなる。そのため、遠方側と手前側との間に大きな明暗差が生じないので、ドライバーにとって手前側の視認性を高くすることができる。
【００３０】
また、カットオフラインＣ１がカットオフラインＣ２の上に形成されるから、自車線の側道側の視認性を確保しつつ、対向車に対するグレアの発生を抑えることができる。つまり、このダイレクトプロジェクション型灯具１をすれ違い用のロービームとして利用することができる。
【００３１】
なお、本実施形態では、ダイレクトプロジェクション型灯具１が左側通行用のものであったが、右側通行用のものであってもよい。この場合、正面から見て投影レンズ５０を左右反転させる。
また、入射面５１がシリンドリカル面としたが、平面、球面又は非球面（任意の自由曲面）であってもよい。入射面５１を平面、球面又は非球面に変更した場合には、出射面５２のカーブ形状を変更して、出射面５２による出射光を上述したように屈折させればよい。
【００３２】
〔第２の実施の形態〕
図８は、ダイレクトプロジェクション型灯具１Ａの正面図である。図９は、図８に示されたIX−IX線に沿った面の矢視断面図である。図１０は、図８に示されたX−X線に沿った面の矢視断面図である。図１１は、図８に示されたXI−XI線に沿った面の矢視断面図である。図１２は、図８に示されたXII−XII線に沿った面の矢視断面図である。
【００３３】
ダイレクトプロジェクション型灯具１Ａは、左側通行用のロービームに用いられる車両用前照灯である。
ダイレクトプロジェクション型灯具１Ａは、支持プレート１０Ａ、放熱フィン２０Ａ、レンズホルダ３０Ａ、発光素子４０Ａ及び投影レンズ５０Ａを有する。
【００３４】
支持プレート１０Ａ及び複数の放熱フィン２０Ａは、第１実施形態の場合と同様に設けられている。
発光素子４０Ａは第一実施形態の場合と同様に設けられ、基板４１Ａを介して支持プレート１０Ａの前面に取り付けられている。発光素子４０Ａの形状、設置箇所、設置向きは第一実施形態の場合と同様である。
投影レンズ５０Ａは、第一実施形態の場合と同様に、脚部５９Ａ及びレンズホルダ３０によって支持プレート１０Ａに取り付けられるとともに、発光素子４０Ａの前方に配設されている。
【００３５】
投影レンズ５０Ａは、発光素子４０Ａから前方に延びる光軸Ａｘ上に配設されている。投影レンズ５０Ａは、凸レンズであって、発光素子４０Ａから発した直接光を前方に投影するものである。投影レンズ５０Ａは、発光素子４０Ａから発した直接光が入射される後ろ側の入射面５１Ａと、入射面５１Ａに入射した入射光を前方に出射させる前側の出射面５２Ａと、を有する。後ろ側の入射面５１Ａは光軸Ａｘに対して直交する平面である。
【００３６】
出射面５２Ａは、非球面状の凸面である。出射面５２Ａは左側の領域の部分５３Ａと、残りの右側の領域の部分５４Ａとから構成され、左側の部分５３Ａが上側の領域の第一屈折面５５Ａと、残り下側の領域の第二屈折面５６Ａとから構成され、右側の部分５４Ａが上側の領域の第三屈折面５７Ａと、残りの下側の領域の第四屈折面５８Ａとから構成されている。
【００３７】
図９において、二点鎖線は、発光素子４０Ａの所定点（例えば、発光素子４０Ａの中心点、発光素子４０Ａの下辺の中心点等）から発した光線を示す。図９に示すように、屈折面５５Ａ及び屈折面５７Ａは、水平面内において、発光素子４０Ａの所定点から発して入射面５１Ａに入射した入射光線群を左右両側に拡散するよう出射させる。
【００３８】
図１０において、二点鎖線は、発光素子４０Ａの所定点（例えば、発光素子４０Ａの中心点、発光素子４０Ａの下辺の中心点等）から発した光線を示す。図１０に示すように、屈折面５６Ａは、水平面内において、発光素子４０Ａの所定点から発して入射面５１Ａに入射した入射光線群を鉛直面より右方に出射させず、その入射光線群を鉛直面より左方に出射させるとともに、その入射光線群を左側に拡散するよう出射させる。
屈折面５８Ａは、水平面内において、発光素子４０Ａの所定点から発して入射面５１Ａに入射した入射光線群を鉛直面より右方に出射させず、その入射光線群を鉛直面より左方に出射させる。発光素子４０Ａの所定点から発して屈折面５８Ａから出射する出射光線群については、鉛直面を基準とした屈折面５８Ａによる左方への出射光線の偏向角が、光軸Ａｘから右に離れるにつれて漸次大きくなる。
【００３９】
図１１、図１２において、二点鎖線は、発光素子４０Ａの所定点から発した光線を示す。図１１、図１２に示すように、投影レンズ５０Ａの出射面５２Ａは、鉛直面内において、発光素子４０Ａの所定点から発して入射面５１Ａに入射した入射光線群を水平面より上方に出射させず、入射光線群の一部を水平面より下方に出射させ、残りの一部を水平面に沿って出射させる。具体的には、左側の屈折面５５Ａ，５６Ａ及び右側の屈折面５８Ａは、鉛直面内において、発光素子４０Ａの所定点から発して入射面５１Ａに入射した入射光線群を水平面より上方に出射させず、入射光線群の一部を水平面より下方に出射させ、残りの一部を水平面に沿って出射させる。一方、右側の屈折面５７Ａは、鉛直面内において、発光素子４０Ａの所定点から発して入射面５１Ａに入射した入射光線群を水平面より上方に出射させず、その入射光線群を水平面より下方に出射させる。
【００４０】
また、図１１、図１２に示すように、右側の屈折面５７Ａは、左側の屈折面５５Ａ，５６Ａに比べて、発光素子４０Ａから発して入射面５１Ａに入射した入射光をより下方に偏向させるよう出射させる。
【００４１】
また、図１１に示すように、発光素子４０Ａの所定点から発して左側の屈折面５５Ａ，５６Ａから出射する出射光線群については、水平面を基準とした屈折面５５Ａ，５６Ａによる下への出射光線の偏向角が光軸Ａｘから上下に離れるにつれて漸次大きくなる。同様に、図１２に示すように、発光素子４０Ａの所定点から発して右側の屈折面５７Ａから出射する出射光線群については、水平面を基準とした屈折面５７Ａによる下への出射光線の偏向角が、光軸Ａｘから上に離れるにつれて漸次大きくなる。また、図１２に示すように、発光素子４０Ａの所定点から発して右側の屈折面５８Ａから出射する出射光線群については、水平面を基準とした屈折面５８Ａによる下への出射光線の偏向角が、光軸Ａｘから下に離れるにつれて漸次大きくなる。
【００４２】
図１３〜図１７は、ダイレクトプロジェクション型灯具１Ａから前方に所定距離離れた仮想スクリーンに、ダイレクトプロジェクション型灯具１Ａによって形成される配光パターンＰを示す図である。図１３〜図１７において、Ｈ−Ｈ線は、光軸Ａｘを通る水平面と仮想スクリーンとの交線であり、Ｖ−Ｖ線は、光軸Ａｘを通る鉛直面と仮想スクリーンとの交線である。図１３は屈折面５５Ａによって形成される配光パターンＰ１を、図１４は屈折面５６Ａによって形成される配光パターンＰ２を、図１５は屈折面５７Ａによって形成される配光パターンＰ３を、図１６は屈折面５８Ａによって形成される配光パターンＰ４を示す。図１７は配光パターンＰ１〜Ｐ４の組合せを示す。
図１３〜図１７に示すように、ダイレクトプロジェクション型灯具１Ａによって形成される配光パターンＰは、左側通行用のロービームに用いられるすれ違い配光パターンであって、屈折面５５Ａ〜５８Ａによってそれぞれ形成される配光パターンＰ１〜Ｐ４の組合せである。配光パターンＰは、その上端部にカットオフラインＣ１，Ｃ２を有する。Ｖ−Ｖ線よりも対向車線側（右側）のカットオフラインＣ２がＨ−Ｈ線の僅かに下において水平に延びるように形成されており、Ｖ−Ｖ線よりも自車線側（左側）のカットオフラインＣ１がＨ−Ｈ線に沿って水平に延びるように形成されている。
【００４３】
発光素子４０Ａの所定点から発した光線群が、水平面内において、屈折面５５Ａ，５７Ａによって左右両側に拡散するよう出射するため、図１３、図１５、図１７に示すように、配光パターンＰ１，Ｐ３が左右に延びるように形成されている。
発光素子４０Ａの所定点から発して入射面５１Ａに入射した入射光線群が屈折面５６Ａによって鉛直面より左方に出射するとともに、その入射光線群を左側に拡散するよう出射するため、図１４、図１７に示すように、配光パターンＰ２がＶ−Ｖ線から左方に延びるように形成される。
発光素子４０Ａの所定点から発して入射面５１Ａに入射した入射光線群が屈折面５８Ａによって鉛直面より右方に出射せず、その入射光線群を鉛直面より左方に出射するため、図１６、図１７に示すように、配光パターンＰ４がＶ―Ｖ線の左方に形成される。水平面内において、発光素子４０Ａの所定点から発して屈折面５８Ａから出射する出射光線群の偏向角（鉛直面を基準として左への偏向角）は、光軸Ａｘから右に離れるにつれて漸次大きくなるから、配光パターンＰ４がＶ―Ｖ線から左方に延びるように形成される。
よって、配光パターンＰが配光パターンＰ１〜Ｐ４の組合せであるから、配光パターンＰがＶ−Ｖ線から左右に延びるように形成されている。
ここで、右下側の屈折面５８Ａによって形成される配光パターンＰ４がＶ−Ｖ線よりも左側に形成されるから、対向車に対するグレアを抑えることができるとともに、自車線側の遠方視認性を向上させることができる。
【００４４】
発光素子４０Ａの所定点から発した光線群について、水平面を基準とした屈折面５５Ａ，５６Ａ，５７Ａ，５８Ａによる下への出射光線の偏向角が、光軸Ａｘから上下に離れるにつれて漸次大きくなるため、配光パターンＰは、Ｈ−Ｈ線から下に延びるように形成されている。
【００４５】
発光素子４０Ａの所定点から発した光線群については、水平面を基準とした屈折面５５Ａ，５６Ａ，５７Ａ，５８Ａによる下への出射光線の偏向角が、光軸Ａｘから上下に離れるにつれて漸次大きくなるから、配光パターンＰについては、Ｈ−Ｈ線近傍において明るく、Ｈ−Ｈ線から下に離れるにつれて漸次暗くなる。そのため、遠方側と手前側との間に大きな明暗差が生じないので、ドライバーにとって手前側の視認性を高くすることができる。
【００４６】
カットオフラインＣ１，Ｃ２は、発光素子４０Ａの下辺から形成される。ここで、カットオフラインＣ１は、屈折面５５Ａ，５６Ａ，５８Ａによって発光素子４０Ａの下辺近傍から照射される投影像によって形成され、カットオフラインＣ２は、屈折面５７Ａによって発光素子４０Ａの下辺近傍から照射される投影像によって形成される。
また、右上側の屈折面５７Ａから出射する出射光が左側の屈折面５５Ａ，５６Ａ及び右下側の屈折面５８Ａから出射する出射光よりも下方に偏向されるので、カットオフラインＣ１がカットオフラインＣ２の上に形成される。つまり、屈折面５５Ａ、屈折面５６Ａ及び屈折面５８Ａは、鉛直面内において、発光素子４０Ａから発して入射面５１Ａに入射した入射光線群を、Ｈ−Ｈ線（カットオフラインＣ１）を上限としてその下方領域を照射するように出射させる。一方、屈折面５７Ａは、鉛直面内において、発光素子４０Ａから発して入射面５１Ａに入射した入射光線群を、Ｈ―Ｈ線より下方の所定位置（カットオフラインＣ２）を上限としてその下方領域を照射するように出射させる。
また、右下側の屈折面５８Ａから出射する出射光によって形成される配光パターンＰ４が左側の屈折面５５Ａ，５６Ａから出射する出射光と同様に自車線側のカットオフラインＣ１の形成に寄与する。そのため、ダイレクトプロジェクション型灯具１Ｂは、第１実施形態のダイレクトプロジェクション型灯具１と比べて、自車線側に出射する出射光の光束を増やせることで、遠方視認性を向上させることができる。
【００４７】
以上のように、カットオフラインＣ１がカットオフラインＣ２の上に形成されるから、自車線の側道側の視認性を確保しつつ、対向車に対するグレアの発生を抑えることができる。つまり、このダイレクトプロジェクション型灯具１Ａをすれ違い用のロービームとして利用することができる。
【００４８】
なお、本実施形態では、ダイレクトプロジェクション型灯具１Ａが左側通行用のものであったが、右側通行用のものであってもよい。この場合、正面から見て投影レンズ５０Ａを左右反転させる。
また、入射面５１Ａが平面としたが、シリンドリカル面、球面又は非球面（任意の自由曲面）であってもよい。入射面５１Ａをシリンドリカル面、球面又は非球面に変更した場合には、出射面５２Ａのカーブ形状を変更して、出射面５２Ａによる出射光を上述したように屈折させればよい。
【００４９】
〔第３の実施の形態〕
図１８は、ダイレクトプロジェクション型灯具１Ｂの斜視図である。図１９は、ダイレクトプロジェクション型灯具１Ｂの正面図である。図２０は、図１９に示されたXX−XX線に沿った面の矢視断面図である。図２１は、図１９に示されたXXI−XXI線に沿った面の矢視断面図である。
【００５０】
ダイレクトプロジェクション型灯具１Ｂは、左側通行用のロービームに用いられる車両用前照灯である。
ダイレクトプロジェクション型灯具１Ｂは、支持プレート１０Ｂ、放熱フィン２０Ｂ、レンズホルダ３０Ｂ、発光素子４０Ｂ及び投影レンズ５０Ｂを有する。
【００５１】
支持プレート１０Ｂ及び複数の放熱フィン２０Ｂは、第１実施形態の場合と同様に設けられている。
発光素子４０Ｂは第一実施形態の場合と同様に設けられ、基板４１Ｂを介して支持プレート１０Ｂの前面に取り付けられている。発光素子４０Ｂの形状、設置箇所、設置向きは第一実施形態の場合と同様である。
投影レンズ５０Ｂは、第一実施形態の場合と同様に、脚部５９Ｂ及びレンズホルダ３０Ｂによって支持プレート１０Ｂに取り付けられるとともに、発光素子４０Ｂの前方に配設されている。
【００５２】
投影レンズ５０Ｂは、発光素子４０Ｂから前方に延びる光軸Ａｘ上に配設されている。投影レンズ５０Ｂは、複数に区分けされた出射面を有する凸レンズである。この投影レンズ５０Ｂは、中央部に設けられた凸レンズ部５５Ｂと、凸レンズ部５５Ｂの外周において凸レンズ部５５Ｂと同心状に設けられるとともに光軸の左側に配設された第一プリズム部６１Ｂと、凸レンズ部５５Ｂの外周において凸レンズ部５５Ｂと同心状に設けられるとともに光軸の右側に配設された第二プリズム部６２Ｂと、を有する。
【００５３】
凸レンズ部５５Ｂは、発光素子４０Ｂから発した直接光が入射される後ろ側の入射面５１Ｂと、入射面５１Ｂに入射した入射光を前方に出射させる前側の出射面５２Ｂと、を有する。後ろ側の入射面５１Ｂは円球面状の凹面であり、出射面５２Ｂは非球面状の凸面である。出射面５２Ｂは、左側の領域の屈折面５３Ｂと、残りの右側の領域の屈折面５４Ｂと、から構成される。
【００５４】
第一プリズム部６１Ｂは、発光素子４０Ｂから発した直接光が入射される後ろ側の入射面６３Ｂと、入射面６３Ｂに入射した入射光を前方に出射させる前側の出射面６４Ｂと、を有する。入射面６３Ｂは円球面状の凹面であり、入射面６３Ｂと入射面５１Ｂが面一に設けられている。出射面６４Ｂは非球面状の凸面である。
【００５５】
第二プリズム部６２Ｂは、発光素子４０Ｂから発した直接光が入射される後ろ側の入射面６５Ｂと、入射面６５Ｂに入射した入射光を前方に出射させる前側の出射面６６Ｂと、を有する。入射面６５Ｂは円球面状の凹面であり、入射面６５Ｂと入射面５１Ｂが面一に設けられている。出射面６６Ｂは非球面状の凸面である。
【００５６】
図２０、図２１において、二点鎖線は、発光素子４０Ｂの所定点（例えば、発光素子４０Ｂの中心点、発光素子４０Ｂの下辺の中心点等）から発した光線を示す。
凸レンズ部５５Ｂは、第一実施形態における投影レンズ５０と同様の光学特性を有する。
即ち、図２１に示すように、出射面５２Ｂは、水平面内において、発光素子４０Ｂの所定点から発して入射面５１Ｂに入射した入射光線群を左右両側に拡散するよう出射させる。
また、図２０に示すように、左側の屈折面５３Ｂは、発光素子４０Ｂの所定点から発して入射面５１Ａに入射した入射光線群を水平面より上方に出射させず、入射光線群の一部を水平面より下方に出射させ、残りの一部を水平面に沿って出射させる。一方、右側の屈折面５４Ｂは、発光素子４０Ｂの所定点から発して入射面５１Ｂに入射した入射光線群を水平面より上方に出射させず、その入射光線群を水平面より下方に出射させる。
また、右側の屈折面５４Ｂは、左側の屈折面５３Ｂに比べて、発光素子４０Ｂから発して入射面５１Ｂに入射した入射光をより下方に偏向させるよう出射させる。
また、発光素子４０Ｂの所定点から発して屈折面５３Ｂから出射する出射光線群については、水平面を基準とした屈折面５３Ｂによる下への出射光線の偏向角は、光軸から上下に離れるにつれて漸次大きくなる。同様に、発光素子４０Ｂの所定点から発して屈折面５４Ｂから出射する出射光線群については、水平面を基準とした屈折面５４Ｂによる下への出射光線の偏向角は、光軸から上下に離れるにつれて漸次大きくなる。
【００５７】
図２１に示すように、第一プリズム部６１Ｂの出射面６４Ｂは、水平面内において、発光素子４０Ｂの所定点から発して入射面６３Ｂに入射した入射光線群を鉛直面より右方に出射させず、その入射光線群を鉛直面より左方に出射させるとともに、その入射光線群を左側に拡散するよう出射させる。
また、第一プリズム部６１Ｂの出射面６４Ｂは、鉛直面内において、発光素子４０Ｂの所定点から発して入射面６３Ｂに入射した入射光線群を水平面より上方に出射させず、その入射光線群を水平面より下方に出射させる。ここで、発光素子４０Ｂの所定点から発して出射面６４Ｂから出射する出射光線群については、水平面を基準とした出射面６４Ｂによる下への出射光線の偏向角は、光軸から上下に離れるにつれて漸次大きくなる。
【００５８】
図２１に示すように、第二プリズム部６２Ｂの出射面６６Ｂは、発光素子４０Ｂの所定点から発して入射面６５Ｂに入射した入射光線群を鉛直面より左方に出射させず、その入射光線群を鉛直面より右方に出射させるとともに、その入射光線群を右側に拡散するよう出射させる。
また、図２０に示すように、第二プリズム部６２Ｂの出射面６６Ｂは、鉛直面内において、発光素子４０Ｂの所定点から発して入射面６５Ｂに入射した入射光線群を水平面より上方に出射させず、その入射光線群を水平面より下方に出射させる。ここで、発光素子４０Ｂの所定点から発して出射面６６Ｂから出射する出射光線群については、水平面を基準とした出射面６６Ｂによる下への出射光線の偏向角は、光軸から上下に離れるにつれて漸次大きくなる。
【００５９】
第一プリズム部６１Ｂの出射面６４Ｂ及び第二プリズム部６２Ｂの出射面６６Ｂは、左側の屈折面５３Ｂに比べて、発光素子４０Ｂから発して入射面５１Ｂに入射した入射光をより下方に偏向させるよう出射させる。一方、第一プリズム部６１Ｂの出射面６４Ｂ、第二プリズム部６２Ｂの出射面６６Ｂ及び右側の屈折面５４Ｂは、発光素子４０Ｂから発して入射面５１Ｂに入射した入射光をほぼ等しく偏向させるよう出射させる。
【００６０】
図２２は、ダイレクトプロジェクション型灯具１Ｂから前方に所定距離離れた仮想スクリーンに、ダイレクトプロジェクション型灯具１Ｂによって形成される配光パターンＰＢを示す図である。図２２において、Ｈ−Ｈ線は、光軸Ａｘを通る水平面と仮想スクリーンとの交線であり、Ｖ−Ｖ線は、光軸Ａｘを通る鉛直面と仮想スクリーンとの交線である。
図２２に示すように、ダイレクトプロジェクション型灯具１Ｂによって形成される配光パターンＰＢは、左側通行用のロービームに用いられるすれ違い配光パターンであって、凸レンズ部５５Ｂによって形成される配光パターンＰと、プリズム部６１Ｂ，６２Ｂによって形成される配光パターンＰｂとの組合せである。配光パターンＰＢは、その上端部にカットオフラインＣ１，Ｃ２を有する。Ｖ−Ｖ線よりも対向車線側（右側）のカットオフラインＣ２がＨ−Ｈ線の僅かに下において水平に延びるように形成され、Ｖ−Ｖ線よりも自車線側（左側）のカットオフラインＣ１がＨ−Ｈ線に沿って水平に延びるように形成されている。
【００６１】
凸レンズ５５Ｂの光学特性と第１実施形態における投影レンズ５０の光学特性が等しいから、凸レンズ部５５Ｂによって形成される配光パターンＰは、第１実施形態における投影レンズ５０によって形成される配光パターンＰと同様に形成される。
【００６２】
第一プリズム部６１Ｂの出射面６４Ｂが、鉛直面内において、発光素子４０Ｂの所定点から発して入射面６３Ｂに入射した入射光線群を水平面より下方に出射させ、且つ、第二プリズム部６２Ｂの出射面６６Ｂは、鉛直面内において、発光素子４０Ｂの所定点から発して入射面６５Ｂに入射した入射光線群を水平面より下方に出射させるため、配光パターンＰｂの上縁（明暗境界線）がカットオフラインＣ１の下に形成される。つまり、第一プリズム部６１Ｂの出射面６４Ｂ及び第二プリズム部６２Ｂの出射面６６Ｂは、鉛直面内において、発光素子４０Ｂから発して入射面６３Ｂ，６５Ｂに入射した入射光線群を、Ｈ―Ｈ線より下方の所定位置（カットオフラインＣ２）を上限としてその下方領域を照射するように出射させる。
【００６３】
また、第一プリズム部６１Ｂの出射面６４Ｂ及び第二プリズム部６２Ｂの出射面６６Ｂは、左側の屈折面５３Ｂに比べて、発光素子４０Ｂから発して入射面５１Ｂに入射した入射光をより下方に偏向させるよう出射させるから、配光パターンＰｂの上縁（明暗境界線）がカットオフラインＣ１の下に形成される。
また、一方、第一プリズム部６１Ｂの出射面６４Ｂ、第二プリズム部６２Ｂの出射面６６Ｂ及び右側の屈折面５４Ｂは、発光素子４０Ｂから発して入射面５１Ｂに入射した入射光をほぼ等しく偏向させるよう出射させるから、配光パターンＰｂの上縁がカットオフラインＣ２に重なる。
【００６４】
また、水平面を基準とした出射面６４Ｂ，６６Ｂによる下への出射光線の偏向角が光軸から上下に離れるにつれて漸次大きくなるので、配光パターンＰｂがＨ−Ｈ線から下に延びるように形成されるとともに、配光パターンＰｂにおいては、Ｈ−Ｈ線近傍において明るく、Ｈ−Ｈ線から下に離れるにつれて漸次暗くなる。
【００６５】
第一プリズム部６１Ｂの出射面６４Ｂが、水平面内において、発光素子４０Ｂの所定点から発して入射面６３Ｂに入射した入射光線群を左側に拡散するよう出射させ、且つ、第二プリズム部６２Ｂの出射面６６Ｂが、発光素子４０Ｂの所定点から発して入射面６５Ｂに入射した入射光線群を右側に拡散するよう出射させるから、配光パターンＰｂが左右に延びるように形成される。
【００６６】
以上のように、凸レンズ部５５Ｂの周囲にプリズム部６１Ｂ，６２Ｂが設けられているから、配光パターンＰを配光パターンＰｂによって補強することができ、広がりのある配光パターンＰＢを形成することができる。また、投影レンズ５０Ｂがフルネルレンズ型の凸レンズであるから、投影レンズ５０Ｂの厚みが増すことなく、投影レンズ５０Ｂの開口度を高めることができ、より明るくより広がりのある配光パターンＰＢを形成することができる。
【００６７】
なお、第二プリズム部６２Ｂの出射面６６Ｂ及び右側の屈折面５４Ｂが、発光素子４０Ｂから発して入射面５１Ｂに入射した入射光をほぼ等しく偏向させるよう出射させ、第一プリズム部６１Ｂの出射面６４Ｂ及び左側の屈折面５３Ｂが、発光素子４０Ｂから発して入射面５１Ｂに入射した入射光をほぼ等しく偏向させるよう出射させ、第二プリズム部６２Ｂの出射面６６Ｂ及び右側の屈折面５４Ｂが、第一プリズム部６１Ｂの出射面６４Ｂ及び左側の屈折面５３Ｂに比べて、発光素子４０Ｂから発して入射面５１Ｂに入射した入射光をより下方に偏向させるよう出射させてもよい。
この場合には、図２３に示すような配光パターンＰＢが形成される。第一プリズム部６１Ｂの出射面６４Ｂ及び左側の屈折面５３Ｂが発光素子４０Ｂから発して入射面５１Ｂに入射した入射光をほぼ等しく偏向させるよう出射させるから、配光パターンＰｂのうちＶ−Ｖ線よりも左側の部分の上縁がカットオフラインＣ１に重なる。配光パターンＰｂのうちＶ−Ｖ線よりも左側の部分は、第一プリズム部６１Ｂの出射面６４Ｂによって形成される。つまり、第一プリズム部６１Ｂの出射面６４Ｂは、鉛直面内において、発光素子４０Ｂから発して入射面６３Ｂに入射した入射光線群を、Ｈ−Ｈ線（カットオフラインＣ１）を上限としてその下方領域を照射するように出射させる。また、第二プリズム部６２Ｂの出射面６６Ｂ及び右側の屈折面５４Ｂが、発光素子４０Ｂから発して入射面５１Ｂに入射した入射光をほぼ等しく偏向させるよう出射させ、配光パターンＰｂのうちＶ−Ｖ線よりも右側の部分の上縁がカットオフラインＣ２に重なる。配光パターンＰｂのうちＶ−Ｖ線よりも右側の部分は、第二プリズム部６２Ｂの出射面６６Ｂによって形成される。つまり、第二プリズム部６２Ｂの出射面６６Ｂは、発光素子４０Ｂから発して入射面６５Ｂに入射した入射光線群を、Ｈ―Ｈ線より下方の所定位置（カットオフラインＣ２）を上限としてその下方領域を照射するように出射させる。
【００６８】
本実施形態では、投影レンズ５０Ｂの凸レンズ部５５Ｂが、第１実施形態の投影レンズ５０と同様の光学特性を有していたが、その凸レンズ部５５Ｂが、第２実施形態の投影レンズ５０Ａと同様の光学特性を有していてもよい。
また、ダイレクトプロジェクション型灯具１Ｂが左側通行用のものであったが、右側通行用のものであってもよい。この場合、正面から見て投影レンズ５０Ｂを左右反転させる。
また、入射面５１Ｂ，６３Ｂ，６５Ｂが球面としたが、平面、シリンドリカル面又は非球面（任意の自由曲面）であってもよい。入射面５１Ｂ，６３Ｂ，６５Ｂを平面、シリンドリカル面又は非球面に変更した場合には、出射面５２Ｂ，６４Ｂ，６６Ｂのカーブ形状を変更して、出射面５２Ｂ，６４Ｂ，６６Ｂによる出射光を上述したように屈折させればよい。
【符号の説明】
【００６９】
１、１Ａ、１Ｂ  ダイレクトプロジェクション型灯具（車両用灯具）
４０、４０Ａ、４０Ｂ  発光素子
５０、５０Ａ、５０Ｂ  投影レンズ
５１、５１Ａ、５１Ｂ  入射面
５２、５２Ａ、５２Ｂ  出射面
５３、５３Ｂ  屈折面（第一屈折面）
５４、５４Ｂ  屈折面（第二屈折面）
５５Ａ  屈折面（第一屈折面）
５６Ａ（第二屈折面）
５７Ａ（第三屈折面）
５８Ａ（第四屈折面）
６１Ｂ  第一プリズム部
６２Ｂ  第二プリズム部
６３Ｂ  入射面（第一プリズム入射面）
６４Ｂ  出射面（第一プリズム出射面）
６５Ｂ  入射面（第二プリズム入射面）
６６Ｂ  出射面（第二プリズム出射面）
Ａｘ  光軸
【図１】
0005475395.tif 000002
【図２】
0005475395.tif 000003
【図３】
0005475395.tif 000004
【図４】
0005475395.tif 000005
【図５】
0005475395.tif 000006
【図６】
0005475395.tif 000007
【図７】
0005475395.tif 000008
【図８】
0005475395.tif 000009
【図９】
0005475395.tif 000010
【図１０】
0005475395.tif 000011
【図１１】
0005475395.tif 000012
【図１２】
0005475395.tif 000013
【図１３】
0005475395.tif 000014
【図１４】
0005475395.tif 000015
【図１５】
0005475395.tif 000016
【図１６】
0005475395.tif 000017
【図１７】
0005475395.tif 000018
【図１８】
0005475395.tif 000019
【図１９】
0005475395.tif 000020
【図２０】
0005475395.tif 000021
【図２１】
0005475395.tif 000022
【図２２】
0005475395.tif 000023
【図２３】
0005475395.tif 000024